(57)【特許請求の範囲】
【請求項１】
発光部及び受光部がケースの長手方向に沿って配置されたフォトインタラプタにおいて、
上記ケースは、上記発光部及び上記受光部が固定された本体部と、上記本体部の長手方向両端側に一体に設けられた一対の装着部と、を備え、
上記各装着部は互いに略平行又は略直交方向に設けられた上下面、両側面及び端面を有し、
上記各装着部の上記上下面、両側面及び端面にはそれぞれ装着手段を備え、
一方の装着部における上記上下面及び両側面の各装着手段と他方の装着部における上記上下面及び両側面の各装着手段とは、上記発光部と上記受光部との間の中間点から等距離に設けられ、
上記一方の装着部における上記端面の装着手段と上記他方の装着部における上記端面の装着手段とは、上記中間点から等距離に設けられている、フォトインタラプタ。
【請求項２】
発光部及び受光部がケースの長手方向に沿って配置されたフォトインタラプタにおいて、
上記ケースは、上記発光部及び上記受光部が固定された本体部と、上記本体部の長手方向両端側に一体に設けられた一対の装着部と、を備え、
上記各装着部は互いに略平行又は略直交方向に設けられた上下面、両側面及び端面を有し、
一方の上記装着部には、上記両側面から互いに同軸に且つ該両側面と略直交方向に突出する係止突起と、上記上面と上記下面との間を該上下面と略直交方向に貫通する貫通孔と、を備え、
他方の上記装着部には、上記両側面間を該両側面と略直交方向に貫通する貫通孔と、上記上面及び上記下面に互いに同軸に且つ該上下面と略直交方向に突出する係止突起と、を備え、
上記各装着部の上記端面には上下に延びる係止縦筋部と横方向に延びる係止横筋部とを互いに略直交方向に備え、
上記各装着部における上記係止突起及び上記貫通孔は、上記発光部と上記受光部との間の中間点から等距離の位置に配置され、且つ上記一方の装着部における上記係止突起と上記他方の装着部における上記貫通孔とが互いに略平行に配置され、
上記各装着部における上記係止縦筋部及び上記係止横筋部は、上記中間点から等距離の位置に配置され、且つ上記係止突起及び上記貫通孔と略平行又は略直交方向に配置されている、フォトインタラプタ。
【請求項３】
前記ケースの上面側に前記発光部及び受光部が配置され、前記各装着部における前記両側面及び下面は前記本体部の両側面及び下面と連続した平面を備える、請求項１又は２に記載のフォトインタラプタ。
【請求項４】
前記本体部は互いに略平行に上方に突出した一対の中空凸部を備え、該一対の中空凸部の一方に前記発光部が収容されると共に他方に前記受光部が収容され、上記発光部と上記受光部との間の光路が上記中空凸部間に形成される、請求項１乃至３の何れかに記載のフォトインタラプタ。
【請求項５】
前記本体部と前記装着部とが遮光性樹脂により一体に成形され、前記各中空凸部の前記光路に対応する位置にそれぞれ光路用スリットを備え、該光路用スリットが光透過性樹脂により外側から被覆されている、請求項４に記載のフォトインタラプタ。
【発明の詳細な説明】
【技術分野】
【０００１】
本発明は、発光部と受光部とがケースに固定されて、被装着面に装着されるフォトインタラプタに関する。
【背景技術】
【０００２】
従来、発光部と受光部とがケースに固定されて一体化されたフォトインタラプタが知られている。フォトインタラプタとは発光部と受光部との間に形成される光路において物体を検知する光電センサである。
例えば特許文献１には、発光素子及び受光素子が固定されたケースに互いに直交する二つのピン孔を設けたフォトインタラプタが開示されている。このフォトインタラプタでは、一方のピン孔を用いてその両側で取付板に取付可能であり、他方のピン孔を用いてその両側でも取付板に取付可能に構成されている。特許文献１のフォトインタラプタではさらに側面や下面にボスが設けられ、何れかのピン孔とボスとを用いて取付板に取り付けることも可能である。
【０００３】
このフォトインタラプタでは、ピン孔やボスが複数の方向に設けられているため、取付板に取り付ける向きを複数の方向に変えることができる。
【先行技術文献】
【特許文献】
【０００４】
【特許文献１】実用新案登録第３１１４６４１号公報
【発明の概要】
【発明が解決しようとする課題】
【０００５】
しかしながら、従来のフォトインタラプタでは、発光素子及び受光素子に対して一方側にピン孔が設けられ、側面と下面とで異なる位置にボスが設けられており、フォトインタラプタを取付板に装着する際、フォトインタラプタの向きに応じて取付板のピン孔やボス孔を変更して設ける必要があった。そのため、フォトインタラプタを取り付けるための装着面の構成を、フォトインタラプタの装着向きに応じて異ならせる必要があり、装着向きの自由度が小さかった。
【０００６】
本発明では、装着向きの自由度が大きく、被装着面に容易に装着できるフォトインタラプタを提供することを目的とする。
【課題を解決するための手段】
【０００７】
上記目的を達成する本発明のフォトインタラプタは、ケースの長手方向に沿って発光部及び受光部が配置され、ケースは、発光部及び受光部が固定された本体部と、本体部の長手方向両端側に一体に設けられた一対の装着部と、を備え、各装着部は互いに略平行又は略直交方向に設けられた上下面、両側面及び端面を有し、各装着部の上下面、両側面及び端面にはそれぞれ装着手段を備え、一方の装着部における上下面及び両側面の各装着手段と他方の装着部における上下面及び両側面の各装着手段とは、発光部と受光部との間の中間点から等距離に設けられ、一方の装着部における端面の装着手段と他方の装着部における端面の装着手段とは、中間点から等距離に設けられている。
【０００８】
本発明によるフォトインタラプタの他の構成では、発光部と受光部とがケースの長手方向に沿って配置され、ケースは発光部及び受光部が固定された本体部と、本体部の長手方向両端側に一体に設けられた一対の装着部と、を備え、各装着部は互いに略平行又は略直交方向に設けられた上下面、両側面及び端面を有し、一方の装着部には、両側面に互いに同軸に且つ両側面と略直交方向に突出する係止突起と、上面と下面との間を上下面と略直交方向に貫通する貫通孔と、を備え、他方の装着部には、両側面間を両側面と略直交方向に貫通する貫通孔と、上面及び下面に互いに同軸に且つ上下面と略直交方向に突出する係止突起と、を備え、各装着部の端面には上下に延びる係止縦筋部と横方向に延びる係止横筋部とを互いに略直交方向に備え、各装着部における係止突起及び貫通孔は発光部と受光部との間の中間点から等距離の位置に配置され、且つ一方の装着部における係止突起と他方の装着部における貫通孔とが互いに略平行に配置され、各装着部における係止縦筋部及び係止横筋部は、中間点から等距離の位置に配置され、且つ係止突起及び貫通孔と略平行又は略直交方向に配置されている。
【０００９】
このフォトインタラプタでは、各装着部における装着手段のいずれかを用いることで、フォトインタラプタを被装着面に対して種々の向きに装着することができる。しかも、一方の装着部の各装着手段と他方の装着部の各装着手段とが中間点から等距離の位置に設けられている。そのため被装着面に対してフォトインタラプタを上向きに装着する場合でも、横向きや下向きに装着する場合でも、発光部と受光部との位置関係を反転させた場合でも、発光部及び受光部間の検出位置と、両装着部の装着手段の位置との長手方向の位置関係が変化せず、装着向きの自由度を大きくできる。
【００１０】
係止突起、係止縦筋部及び係止横筋部のいずれかを用いる場合には、被装着面にこれらを係止するための構造を設ければ、ビスのような他の固定部材を用いる必要がなくて被装着面にフォトインタラプタを容易に装着することができる。
係止突起及び貫通孔を用いる場合には、一方の装着部の係止突起と他方の装着部の貫通孔とが略平行に設けられているため、被装着面に一方の装着部の係止突起を嵌合できる嵌合孔を設ければ、容易に精度よく位置決めしてフォトインタラプタをしっかりと固定することが可能である。
【００１１】
このフォトインタラプタでは、ケースの上面側に発光部及び受光部が配置され、各装着部における両側面及び下面は、本体部の両側面及び下面と連続した平面を備えるのがよい。ケース全体で両側面及び下面が連続した平面を備えることで、平面状の被装着面に安定して固定できる。
【００１２】
このフォトインタラプタでは、本体部は互いに略平行に上方に突出した一対の中空凸部を備え、一対の中空凸部の一方に発光部が収容されると共に他方に受光部が収容され、発光部と受光部との間の光路が中空凸部間に形成されているのがよい。互いに略平行に上方に突出した一対の中空凸部に発光部と受光部とが収容されていることで、一対の装着部の各面の装着手段を利用して被装着面に装着すれば、発光部及び受光部を被装着面から上方、下方、又は側方に突出した状態で検出部を設けることができる。
【００１３】
このフォトインタラプタでは、本体部と装着部とが遮光性樹脂により一体に成形され、各中空凸部光路に対応する位置にそれぞれ光路用スリットを備え、光路用スリットが光透過性樹脂により外側から被覆されているのがよい。
【００１４】
この構成では、一対の中空凸部を有する本体部に対し両端側に同等の形状の装着部が設けられているので、本体部に対して対称的に遮光性樹脂が存在する。そのためケースを成形する際、一対の中空凸部を有する本体部に対して樹脂量の差に起因したひけなどの変形が生じ難く、一対の中空凸部の倒れや歪みを防止でき、各中空凸部の光路用スリットが精度よく対向したケースを容易に成形できる。しかも光路用スリットが透光性樹脂により被覆されているため、光路用スリットに外部から塵埃が進入することを防止でき、長期にわたり検出精度を維持することができる。
【発明の効果】
【００１５】
本発明によれば、各装着部の上下面、両側面及び端面に設けられた係止突起、貫通孔、係止縦筋部又は係止横筋部のような装着手段のいずれかを用いることで、フォトインタラプタを被装着面に対して種々の向きに装着することができる。しかも、被装着面に対してフォトインタラプタを上向き、横向き、下向きのいずれの向きに装着する場合でも、発光部と受光部との位置関係を反転させた場合でも、検出位置と装着位置との長手方向の位置関係が変化しない。従って装着向きの自由度が大きいフォトインタラプタを提供することができる。
【図面の簡単な説明】
【００１６】
【図１】（ａ）は本発明の実施形態に係るフォトインタラプタの正面図、（ｂ）は同実施形態に係るフォトインタラプタの一方側の斜め上方から見た斜視図、（ｃ）は同実施形態に係るフォトインタラプタの他方側の斜め下方から見た斜視図である。
【図２】（ａ）は本発明の実施形態に係るフォトインタラプタを被装着面に対して立ち上がった状態でビスを用いて装着した例を示す斜視図、（ｂ）はその被装着面の構造を示す斜視図である。
【図３】（ａ）は本発明の実施形態に係るフォトインタラプタを被装着面に対して立ち上がった状態でビスを用いて装着した他の例を示す斜視図、（ｂ）はその被装着面の構造を示す斜視図である。
【図４】（ａ）は本発明の実施形態に係るフォトインタラプタを被装着面に対して立ち上がった状態でビスを用いて装着したさらに他の例を示す斜視図、（ｂ）はその被装着面の構造を示す斜視図である。
【図５】（ａ）は本発明の実施形態に係るフォトインタラプタを被装着面に対して立ち上がった状態でビスを用いないで装着した例を示す斜視図、（ｂ）はその被装着面の構造を示す斜視図である。
【図６】（ａ）は本発明の実施形態に係るフォトインタラプタを被装着面に対して立ち上がった状態でビスを用いないで装着した他の例を示す斜視図、（ｂ）はその被装着面の構造を示す斜視図である。
【図７】（ａ）は本発明の実施形態に係るフォトインタラプタを被装着面に対して立ち上がった状態でビスを用いないで装着したさらに他の例を示す斜視図、（ｂ）はその被装着面の構造を示す斜視図である。
【図８】（ａ）は本発明の実施形態に係るフォトインタラプタを被装着面に対して立ち上がった状態でビスを用いないで装着したさらに他の例を示す斜視図、（ｂ）はその被装着面の構造を示す斜視図である。
【図９】本発明の実施形態に係るフォトインタラプタを被装着面に対して下向きにした状態でビスを用いて装着した例を示す斜視図である。
【図１０】本発明の実施形態に係るフォトインタラプタを被装着面に対して下向きにした状態でビスを用いないで装着した例を示す斜視図である。
【図１１】本発明の実施形態に係るフォトインタラプタを被装着面に対して横向きにした状態でビスを用いて装着した例を示す斜視図である。
【図１２】（ａ）は本発明の実施形態に係るフォトインタラプタを被装着面に対して横向きにした状態でビスを用いて装着した他の例を示す斜視図、（ｂ）はその被装着面の構造を示す斜視図である。
【図１３】（ａ）は本発明の実施形態に係るフォトインタラプタを被装着面に対して横向きにした状態でビスを用いないで装着した例を示す斜視図、（ｂ）はその被装着面の構造を示す斜視図である。
【発明を実施するための形態】
【００１７】
以下、本発明の実施形態について図を用いて説明する。
本実施形態のフォトインタラプタ１０は、図１（ａ）〜（ｃ）に示すように、発光素子を含む発光部１１と受光素子を含む受光部１２とが、上部に検出位置１５を形成するようにケース１３に収容されている。検出位置１５には発光部１１から受光部１２まで長手方向の基準線Ｌに沿って光路が形成されている。なお、ケース１３には、発光部１１及び受光部１２と接続された基板１７が収容されて固定されている。ケース１３の下部にはコネクタ１９が設けられている。
基準線Ｌとは、フォトインタラプタの形状及び方向を特定するために用いる仮想の直線である。ケース１３の上下方向はフォトインタラプタ１０を使用する際の上下方向ではなく、各部の相対位置を特定するために用いる仮定の方向である。
【００１８】
ケース１３は本体部２１と一対の装着部２２とを一体に備える。装着部２２は本体部２１の基準線Ｌに沿う長手方向両端側に設けられている。
本体部２１は基板１７が収容された中空の本体基部２４と、本体基部２４から上方へ向けて突出する一対の中空凸部２５とを備える。一対の中空凸部２５は、基準線Ｌに沿って互いに離間した状態で並べて設けられており、基準線Ｌと直交して互いに平行に突出している。
一方の中空凸部２５には発光部１１が収容され、他方の中空凸部２５には受光部１２が収容されている。詳細な図示は省略しているが、それぞれ基板１７に固定されており、ケース１３に対して基板１７を介して変位不能に固定されている。発光部１１及び受光部１２は基準線Ｌの中間点Ｃから等距離に互いに対向して配置され、検出位置１５が一対の中空凸部２５間に設けられている。
【００１９】
各中空凸部２５には、発光部１１と受光部１２との間の光路に対応する位置に、発光部１１から発光された光が通過可能な光路用スリット２７がそれぞれに設けられている。中空凸部２５の形状は特に制限されないが、各中空凸部２５の両側縁に面取部２９が設けられている。
【００２０】
装着部２２は、基準線Ｌに沿って本体部２１の両側に、本体部２１と一体に一対設けられている。各装着部２２は、一対の中空凸部２５の突出方向に対して直交し、基準線Ｌと平行な上面３１及び下面３２と、上面３１及び下面３２と直交し、基準線Ｌと平行な両側面３３，３３と、基準線Ｌと直交する端面３４とを備える。各実施形態における「直交」又は「平行」とは、各面或いは線の関係が精密に直交又は平行であることの他、フォトインタラプタの使用時に許容可能な程度に直交に近似する関係又は平行に近似する関係を含む。
【００２１】
この実施形態では、各装着部２２の端面３４は中間点Ｃから等距離に設けられている。各装着部２２の両側面３３及び下面３２は、本体基部２４の両側面２４ｃ及び下面２４ｂと連続した平面からなる。
各装着部２２の上面３１は、各上面３１を延長したときに同一平面となるように形成されている。本体基部２４の上面側には、各装着部２２の上面３１より上方に突出した突出部位２４ａが設けられている。なお、突出部位２４ａには、一対の中空凸部２５を除く残部に基準線Ｌと平行な平面が形成されており、突出部位２４ａの両側縁と両端縁はそれぞれ基準線Ｌと平行方向又は直交方向となっている。
【００２２】
各装着部２２の各面には、フォトインタラプタ１０を被装着面４１に装着する際、被装着面４１に設けられた構造部分に係止するための各種の装着手段が設けられている。装着手段としては、例えば各種形状の突起、孔、凹部や、筋状に延びた突起、筋状に延びた凹部等が挙げられる。
【００２３】
この実施形態では、まず、一方の装着部２２の両側面３３に基準線Ｌや両側面３３と直交方向に互いに同軸に突出する円柱状の係止突起３５，３５がそれぞれ設けられ、上面３１及び下面３２には基準線Ｌや上下面３１，３２と直交方向に装着部２２を貫通する貫通孔３６が開設されている。
他方の装着部２２の両側面３３には、基準線Ｌや両側面３３と直交方向に装着部２２を貫通する貫通孔３６が開設され、上面３１及び下面３２には基準線Ｌや上下面３１，３２と直交方向に互いに同軸に突出する係止突起３５，３５がそれぞれ設けられている。
一方の装着部２２の各係止突起３５，３５及び他方の装着部２２の各係止突起３５，３５は全て同じ形状を有し、一方の装着部２２の各貫通孔３６及び他方の装着部２２の各貫通孔３６は同じ形状を有する。
各装着部２２における係止突起３５の軸線と貫通孔３６の軸線とは、基準線Ｌ上の同一位置で互いに直交し、一方の装着部２２の係止突起３５と、他方の装着部２２の貫通孔３６とが互いに平行に、且つ中間点Ｃから等距離に設けられている。
【００２４】
各端面３４には、互いに直交し且つ係止突起３５の軸線と貫通孔３６の軸線と直交方向又は平行方向に延びる一対の係止筋部３７が設けられている。係止筋部３７は凸形状、凹形状、段差形状のいずれでもよい。この実施形態では凸形状に形成されており、両側面の端縁に沿って縦方向に延びる２本の係止縦筋部３７ａと、２本の係止縦筋部３７ａの中間位置を上面３１及び下面３２と平行に結ぶ係止横筋部３７ｂとを備え、側面視で略Ｈ字状に形成されている。係止縦筋部３７ａ及び係止横筋部３７ｂは両端面３４で同じ形状となっている。
【００２５】
ケース１３は遮光性樹脂と光透過性樹脂とを用いて多色成形されている。詳細な図示は省略しているが、各中空凸部２５に光路用スリット２７を開口させた状態で、本体部２１及び一対の装着部２２を有する遮光性成形部５１が遮光性樹脂により成形され、各中空凸部２５の光路用スリット２７全体が光透過性樹脂からなる透光性成形部５２により外側から被覆されている。即ち、光路用スリット２７の全周囲において、遮光性樹脂からなる中空凸部２５の表面に光透過性樹脂からなる透光性成形部５２が密着している。
【００２６】
遮光性樹脂は、ケース１３の耐久性や強度を確保できて遮光性、特に受光部１２において検出される光を透過しない遮光性を有する樹脂であればよい。この実施形態では、例えばガラス繊維等の強化材料、遮光性材料等が添加されたポリアミドからなり、耐油性等の耐久性と、固定力等に対する十分な機械的強度とが確保されている。
光透過性樹脂は、受光部１２において検出される光を透過可能な樹脂であればよい。この実施形態では例えばポリカーボネートを用い、可視光を遮光して赤外線を透過可能な構成となっている。
【００２７】
遮光性樹脂に対する光透過性樹脂の相溶性が不足するなどにより、十分な接合強度を得難い場合、遮光性成形部５１と透光性成形部５２とに機械的に係合可能な部位を設けてもよい。
遮光性樹脂として、遮光性材料等が添加されたポリカーボネートを用い、光透過性樹脂として遮光性材料が添加されていないポリカーボネートを用いるなど、遮光性樹脂と光透過性樹脂とに互いに相溶性が高い樹脂を用いてもよい。このようにすれば、中空凸部２５の光路用スリット２７周囲と透光性成形部５２とを一体的に接合でき、中空凸部２５内の気密性を確保することが可能となる。
【００２８】
次に、上記フォトインタラプタ１０を各種の物品に装着する方法について説明する。
フォトインタラプタ１０を各種の物品に装着するには、まず、フォトインタラプタ１０が装着される被装着面４１を、予め各種の部材に直接設けるか、各種の部材に取付可能な装着部材４０に設ける。被装着面４１には、フォトインタラプタ１０の装着部２２を固定するための構造を予め形成し、装着部材４０の場合には装着部材４０を各種の部品に取り付ける。そして被装着面４１の構造を利用して装着部２２を固定することで、被装着面４１にフォトインタラプタ１０を固定する。その後、コネクタ１９を外部接続部に接続することでフォトインタラプタ１０を装着する。この装着方法によれば、被装着面４１の構造を使用者が適宜採用することで同一のフォトインタラプタ１０を種々の向きで被装着面４１に装着することが可能である。
【００２９】
例えば被装着面４１に対し一対の中空凸部２５が立ち上がった状態で装着するには、図２（ｂ）に示すように、被装着面４１にコネクタ用孔４２と、係止突起３５を嵌合可能な嵌合孔４３と、貫通孔３６に対応する位置に固定用孔４４とを設ける。ここでは、嵌合孔４３と固定用孔４４とは同じ大きさ及び形状で形成している。
フォトインタラプタ１０を装着するには、図２（ａ）に示すように、フォトインタラプタ１０を立てた状態で、コネクタ１９をコネクタ用孔４２に配置し、係止突起３５を嵌合孔４３に嵌合し、貫通孔３６及び固定用孔４４を用いてネジ４５で締結する。ネジ４５を用いる場合には、被装着面４１の背面側にナットを配置して締結してもよい。
【００３０】
被装着面４１に対し一対の中空凸部２５が立ち上がった状態で装着する他の例としては、図３（ｂ）に示すように、被装着面４１にコネクタ用孔４２と、係止突起３５を嵌合可能な嵌合孔４３と、一方の装着部２２における上面３１の側縁に弾性により係止可能な上面側縁係止部４６と、貫通孔３６に対応する位置に固定用孔４４とを設ける。上面側縁係止部４６は、装着部２２の両側面３３間の間隔で互いに対向して一対設けている。
フォトインタラプタ１０を装着するには、図３（ａ）に示すように、フォトインタラプタ１０を立てた状態で、コネクタ１９をコネクタ用孔４２に配置し、一対の上面側縁係止部４６間に一方の装着部２２を挿入し、係止突起３５を嵌合孔４３に嵌合し、一対の上面側縁係止部４６に装着部上面３１の側縁を係止し、貫通孔３６及び固定用孔４４を通してネジ４５により締結する。
【００３１】
被装着面４１に対し一対の中空凸部２５が立ち上がった状態で装着する他の例としては、図４（ｂ）に示すように、被装着面４１にコネクタ用孔４２と、固定用孔４４と、係止突起３５を配置可能な係止突起用孔４８と、係止横筋部３７ｂと弾性により係止可能な横筋部用係止部４７ｂとを設ける。横筋部用係止部４７ｂを係止横筋部３７ｂの幅と略同等の幅に設けている。
フォトインタラプタ１０を装着するには、図４（ａ）に示すように、被装着面４１にフォトインタラプタ１０を立てて、コネクタ１９をコネクタ用孔４２に配置し、係止突起３５を係止突起用孔４８に配置し、横筋部用係止部４７ｂに係止横筋部３７ｂを係止して所謂スナップフィットにより固定し、貫通孔３６及び固定用孔４４を通してネジ４５により締結する。
【００３２】
次に、被装着面４１に対し一対の中空凸部２５が立ち上がった状態で、ネジ４５を用いずに装着する場合を説明する。図５（ｂ）に示すように、被装着面４１にコネクタ用孔４２と、係止突起用孔４８と、係止横筋部３７ｂと係止可能な一対の横筋部用係止部４７ｂとを設ける。一対の横筋部用係止部４７ｂは略フォトインタラプタ１０の全長に対応する間隔で互いに対向して設け、それぞれ係止横筋部３７ｂの幅と略同等の幅に設けている。
フォトインタラプタ１０を装着するには、図５（ａ）に示すように、被装着面４１にフォトインタラプタ１０を立てて、一対の横筋部用係止部４７ｂ間に本体部２１及び両装着部２２を挿入し、コネクタ１９をコネクタ用孔４２に配置し、係止突起３５を係止突起用孔４８に配置し、一対の横筋部用係止部４７ｂにそれぞれ係止横筋部３７ｂを係止する。
【００３３】
被装着面４１に対し一対の中空凸部２５が立ち上がった状態で、ネジを用いずに装着する他の例としては、図６（ｂ）に示すように、被装着面４１にコネクタ１９及び係止突起３５を配置可能な逃げ孔４９と、一方の装着部２２において被装着面４１に平行に突出する一対の係止突起３５と係止可能な係止突起用係止片５５と、他方の装着部２２の下面３２に平行な係止横筋部３７ｂと弾性により係止可能な横筋部用係止部４７ｂとを設ける。係止突起用係止片５５は一対の係止突起３５と係止できるように一対のフック形状の片とフック形状の片を連結する片とを備えて立体形状に形成している。
フォトインタラプタ１０を装着するには、図６（ａ）に示すように、コネクタ１９及び一方の係止突起３５を逃げ孔４９に配置して、一方の装着部２２における一対の係止突起３５を係止突起用係止片５５に係止し、係止横筋部３７ｂを他方の装着部２２の横筋部用係止部４７ｂに係止する。
【００３４】
なお、係止突起用係止片５５の代わりに、図７（ｂ）に示すように、係止突起３５を上方から挿入可能な互いに対向する二対の係止フック５６を設けることもできる。この二対の係止フック５６により、図７（ａ）に示すように、係止フック５６を弾性変形させて、上側から一対の係止突起３５を挿入して固定することができる。
【００３５】
被装着面４１に対し一対の中空凸部２５が立ち上がった状態で、ネジを用いずに装着するさらに他の例としては、図８（ｂ）に示すように、被装着面４１にコネクタ用孔４２と、係止突起３５を配置可能な係止突起用孔４８と、係止横筋部３７ｂと弾性により係止可能な一対の横筋部用係止部４７ｂを対向するように設け、さらに一対の横筋部用係止部４７ｂの中間位置に、本体基部２４の両側面と当接可能なガイド突起５７を設けている。一対の横筋部用係止部４７ｂは図５（ｂ）に比べて大きな板状に形成しており、略フォトインタラプタ１０の全長に対応する間隔で設けている。それぞれ係止横筋部３７ｂの幅と略同等の幅に設けている。
フォトインタラプタ１０を装着するには、図８（ａ）に示すように、被装着面４１にフォトインタラプタ１０を立てて、一対の横筋部用係止部４７ｂ間に本体部２１及び両装着部２２を挿入し、コネクタ１９をコネクタ用孔４２に配置し、係止突起３５を係止突起用孔４８に配置し、一対の横筋部用係止部４７ｂと一対のガイド突起５７との間にフォトインタラプタ１０を挿入し、一対の横筋部用係止部４７ｂにそれぞれ係止横筋部３７ｂを係止する。
【００３６】
一方、被装着面４１に対して一対の中空凸部２５を下向きに突出させた状態で装着する場合には、図２〜図８において、被装着面４１にコネクタ用孔４２を設ける代わりに、一対の中空凸部２５を貫通させるための中空凸部用貫通孔を設ければ、図２〜図８と全く同様にして、フォトインタラプタ１０を装着することができる。
例えば図２又は図４に相当する被装着面４１に装着すれば、図９に示すようにフォトインタラプタ１０を装着することができる。また、図８に相当する被装着面４１に装着すれば、図１０に示すようにフォトインタラプタ１０を装着することができる。図示は省略するが他の被装着面４１であっても同様である。
【００３７】
被装着面４１に対して一対の中空凸部２５を上向き又は下向きに突出させた状態で装着する場合であって、発光部１１と受光部１２との位置を逆向きに装着する場合には、図２〜図５、図８等に示すような各被装着面４１をそのまま用い、フォトインタラプタ１０の長手方向の向きを逆向きにして、上記と同様にして装着することができる。
【００３８】
被装着面４１に対して一対の中空凸部２５を横向きに配置した状態で、ネジ４５を用いて装着する場合には、図２（ｂ）と同じ構成の被装着面４１を設け、一対の中空凸部２５を被装着面４１に対して横向きにする他は、図２（ａ）と同じにして装着することで、図１１に示すように、フォトインタラプタ１０を横向きに装着することができる。
【００３９】
被装着面４１に対して一対の中空凸部２５を横向きに配置した状態で、ネジ４５を用いて装着する他の例としては、図１２（ｂ）に示すように、被装着面４１に係止突起３５を配置可能な係止突起用孔４８と、貫通孔３６に対応する固定用孔４４と、装着部２２の側面３３に平行な係止縦筋部３７ａと係止可能な筋部用係止部４７ａとを設ける。縦筋部用係止部４７ａには側面３３と直交する係止横筋部３７ｂの幅に対応した係止凹部４７ｃを設けている。
フォトインタラプタ１０を装着するには、図１２（ａ）に示すように、被装着面４１にフォトインタラプタ１０を倒した状態で、係止突起３５を嵌合孔４３に嵌合し、縦筋部用係止部４７ａに係止縦筋部３７ａを係止すると共に係止凹部４７ｃに直交方向の係止横筋部３７ｂを係止し、貫通孔３６及び固定用孔４４を通してネジ４５により締結する。
【００４０】
被装着面４１に対して一対の中空凸部２５を横向きに配置した状態で、ネジ４５を用いないで装着する場合には、図１３（ｂ）に示すように、被装着面４１に、係止突起３５を配置可能な係止突起用孔４８を設け、係止縦筋部３７ａと弾性により係止可能な一対の縦筋部用係止部４７ａを対向するように設け、一対の縦筋部用係止部４７ａの中間位置に本体基部２４の上面又は下面と当接可能なガイド突起５７を設ける。一対の縦筋部用係止部４７ａは略フォトインタラプタ１０の全長に対応する間隔で設け、更にそれぞれ係止縦筋部３７ａの幅と略同等の幅に設けている。
フォトインタラプタ１０を装着するには、図１３（ａ）に示すように、被装着面４１にフォトインタラプタ１０を倒して、一対の縦筋部用係止部４７ａ間に本体部２１及び両装着部２２を挿入し、係止突起３５を係止突起用孔４８に配置し、一対の縦筋部用係止部４７ａにそれぞれ係止縦筋部３７ａを係止する。
【００４１】
これらの被装着面４１に対し、一対の中空凸部２５を反対向きに倒して横向きに配置した状態でフォトインタラプタ１０を装着する場合には、図１１及び図１２等ではフォトインタラプタ１０の向きを変え、被装着面４１をそのまま用いて全く同じにして装着することができる。発光部１１と受光部１２との位置を逆向きに装着する場合、図１１乃至図１３等では被装着面４１をそのまま用いて同様にして装着することができる。
【００４２】
本発明のフォトインタラプタ１０によれば、各装着部２２における装着手段のいずれかを任意に選択して用いることで、フォトインタラプタ１０を被装着面４１に対して種々の向きに装着することができる。しかも、被装着面４１に対してフォトインタラプタ１０を上向きに装着する場合でも、横向きや下向きに装着する場合でも、発光部１１と受光部１２との位置関係を反転させた場合でも、発光部１１及び受光部１２間の検出位置１５と、両装着部２２の装着手段の位置との長手方向の位置関係が変化しない。そのため装着向きの自由度が大きいフォトインタラプタ１０を提供することができる。
【００４３】
ここでは係止突起３５、係止縦筋部３７ａ及び係止横筋部３７ｂのいずれかを選択して用いる場合には、被装着面４１にこれらを係止する構造を設ければ、ネジ４５のような他の固定部材を用いる必要がなく、被装着面４１にフォトインタラプタ１０を容易に装着することができる。
一方、係止突起３５及び貫通孔３６を選択して用いる場合には、一方の装着部２２の係止突起３５と他方の装着部２２の貫通孔３６とが平行に設けられているため、被装着面４１に一方の装着部２２の係止突起３５を嵌合できる嵌合孔を設ければ、容易に精度よく位置決めしてフォトインタラプタ１０をしっかりと装着することが可能である。
【００４４】
このフォトインタラプタ１０では、一対の装着部２２における両側面３３及び下面３２が本体部２１の両側面２４ｃ及び下面２４ｂと連続した平面を備えるので、平面状の被装着面４１に安定して装着できる。
【００４５】
このフォトインタラプタ１０では、互いに平行に上方に突出した一対の中空凸部２５に発光部１１と受光部１２とが収容されているので、一対の装着部２２の各面の装着手段を利用して被装着面４１に装着すれば、発光部１１及び受光部１２を被装着面４１から上方、下方又は側方に突出した状態で検出位置１５を設けることができる。
【００４６】
また、このフォトインタラプタ１０では、一対の中空凸部２５を有する本体部２１に対し両端側に同等の形状の装着部２２が設けられているので、本体部２１に対して対称的に樹脂が存在する。そのためケース１３を成形する際、一対の中空凸部２５を有する本体部２１に対して樹脂量の差に起因したひけなどの変形が生じ難く、一対の中空凸部２５の倒れや歪みを防止でき、各中空凸部２５の光路用スリット２７が精度よく対向したケース１３を容易に成形できる。
しかも光路用スリット２７が透光性樹脂により被覆されているため、光路用スリット２７に外部から塵埃が進入することを防止でき、長期にわたり検出精度を維持することができる。特に遮光性樹脂と光透過性樹脂とにより一体に成形されているので、遮光性樹脂と光透過性樹脂とが一体化されたケース１３を容易に製造できる。
【００４７】
上記実施形態は本発明の範囲内において適宜変更可能である。
例えば上記実施形態では、ケース１３として一対の中空凸部２５を備えた例について説明したが、立方体、直方体、その他の立体形状のケースであっても本発明を同様に適用することができる。その場合、ケースに発光部１１と受光部１２とが配置され、発光部１１と受光部１２間に光路が形成されて検出位置１５が構成可能であればよい。例えば分離型、反射型、回帰反射型のフォトインタラプタであっても適用可能である。
上記ではケース１３の上部に発光部１１及び受光部１２が設けられ、ケース１３の下部にコネクタ１９が設けられた例について説明したが、コネクタ１９がケース１３の側面３３や上面３１に設けられていてもよい。
上記では、一対の装着部２２に対して係止突起３５、貫通孔３６、係止縦筋部３７ａ、係止横筋部３７ｂなどの装着手段を組み合わせた幾つかの例について説明したが、これらは被装着面４１の構成と共に任意に選択することが可能である。さらにフォトインタラプタ１０の装着向きと装着手段との組合せも何ら限定されない。
【符号の説明】
【００４８】
１０  フォトインタラプタ
１１  発光部
１２  受光部
１３  ケース
１５  検出位置
１７  基板
１９  コネクタ
２１  本体部
２２  装着部
２４  本体基部
２４ａ  突出部位
２４ｂ  下面
２４ｃ  側面
２５  中空凸部
２７  光路用スリット
２９  面取部
３１  上面
３２  下面
３３  側面
３４  端面
３５  係止突起
３６  貫通孔
３７  係止筋部
３７ａ  係止縦筋部
３７ｂ  係止横筋部
４０  装着部材
４１  被装着面
４２  コネクタ用孔
４３  嵌合孔
４４  固定用孔
４５  ネジ
４６  上面側縁係止部
４７ａ  縦筋部用係止部
４７ｂ  横筋部用係止部
４７ｃ  係止凹部
４８  係止突起用孔
４９  逃げ孔
５１  遮光性成形部
５２  透光性成形部
５５  係止突起用係止片
５６  係止フック
５７  ガイド突起
Ｌ  基準線
Ｃ  中間点
【図１】
0005549878.tif 000002
【図２】
0005549878.tif 000003
【図３】
0005549878.tif 000004
【図４】
0005549878.tif 000005
【図５】
0005549878.tif 000006
【図６】
0005549878.tif 000007
【図７】
0005549878.tif 000008
【図８】
0005549878.tif 000009
【図９】
0005549878.tif 000010
【図１０】
0005549878.tif 000011
【図１１】
0005549878.tif 000012
【図１２】
0005549878.tif 000013
【図１３】
0005549878.tif 000014